(57)【要約】【課題】レンズ鏡筒の固定筒の側面に開口部を有する場合に、光軸のズレ等を防ぎ光学特性を維持できるとともに、異物等のレンズへの付着を防止して撮影画質を維持でき、さらに、円滑な回転筒の駆動が可能なカメラを提供する。【解決手段】固定筒２の外側に配置されたモータユニット４の駆動力を、固定筒２の内側に配置された回転筒３に、ギアユニット５の長ギア５ｅを、固定筒２の開口部２ａを通して伝達し、また、補強部７を開口部２ａをまたがって固定筒２に固定し、固定筒２を補強して、補強部７に照明光発光装置８を固定した。【選択図】図２
2006119250.tif 000002
【特許請求の範囲】
【請求項１】
開口部を有する固定筒と、
前記固定筒の外側に配置された駆動部と、
前記固定筒の内側に配置された被駆動部と、
前記開口部を通って、前記駆動部から前記被駆動部に駆動力を伝達する駆動力伝達部と、
前記開口部をまたがって、前記固定筒に固定された補強部と、
を備えるカメラ。
【請求項２】
請求項1に記載のカメラにおいて、
前記補強部に設けられた撮影機能部材を備えたこと、
を特徴とするカメラ。
【請求項３】
請求項１又は請求項２に記載のカメラにおいて、
前記補強部は、前記開口部の一部又は全部を覆うこと、
を特徴とするカメラ。
【請求項４】
請求項１から請求項３のいずれか１項に記載のカメラにおいて、
前記補強部は、前記駆動力伝達部の一部又は全部を覆うこと、
を特徴とするカメラ。
【請求項５】
請求項１から請求項４のいずれか１項に記載のカメラにおいて、
前記開口部は、撮影光学系の光軸に沿った方向に長い長孔部であること、
前記駆動力伝達部は、最終歯車を備えること、
前記被駆動部は、被駆動歯車を備えること、
前記被駆動歯車と前記最終歯車との噛合部は、前記長孔部の内側を、前記駆動力により、前記光軸に沿った方向に移動すること、
を特徴とするカメラ。
【発明の詳細な説明】
【技術分野】
【０００１】
本発明は、レンズ鏡筒の固定筒に補強部を設けたカメラに関するものである。
【背景技術】
【０００２】
一般に、沈胴式のレンズ鏡筒を備えたカメラは、レンズ鏡筒に回転筒を備え、モータによる駆動力によって、回転筒の光軸に沿った方向の繰り出し量を変化させている。沈胴式のレンズ鏡筒を採用すると、カメラを使用しないときには、カメラ筐体にレンズ鏡筒を収容することにより、カメラの光軸に沿った方向のサイズを小さくできるため、その小型化を図る場合に有利である。
沈胴式のレンズ鏡筒は、カメラ筐体に固定された固定筒と回転筒とをヘリコイド結合させ、回転筒を光軸に沿った方向に移動させる構造のものが知られている。
【０００３】
以下、沈胴式のレンズ鏡筒の構造について簡単に説明する。沈胴式のレンズ鏡筒の多くは、固定筒と、繰り出しをされる回転筒と、ギア列とを備えている。
固定筒は、円筒状をしており、後述する開口部と、内周に内ヘリコイドが形成されている。この固定筒は、カメラ本体に固定されている。
回転筒は、固定筒の内側に配置され、円筒状をしている。その後端外周には、外周ギアが形成され、また、この外周ギアに外ヘリコイドが形成されている。この外ヘリコイドは、固定筒の内ヘリコイドと螺合している。
ギア列は、固定筒の外側に配置されており、モータの駆動力を回転筒に伝達する。ギア列は、最終ギアを有しており、これが回転筒の外周ギアと、固定筒の開口部の内側で噛合をしている。
【０００４】
モータの駆動力により、最終ギアが回転すると、回転筒の外周ギアに駆動力が伝達され、回転筒が光軸を中心に回転する。回転筒と固定筒とは、ヘリコイドで噛合っているので、回転筒は、光軸を中心に回転しながら、光軸に沿った方向に移動する。また、これにともない、回転筒の外周ギアと最終ギアとの噛合部は、光軸に沿った方向に、固定筒の開口部の内側の範囲内で移動する。
このため、固定筒の開口部は、噛合部の移動範囲を満足するため、固定筒の外周に、光軸に沿った方向にわたって延在している。
【０００５】
以上の理由から、一般に、レンズ鏡筒の繰り出しを行なうカメラの固定筒は、光軸方向に長い開口部を有している。そのため、以下のような問題があった。
（１）固定筒の開口部周囲の強度が不足するので、回転筒を駆動するときに、固定筒が変形し、ギア列のギアが外れたり、回転筒の回転が阻害されたりする可能性があった。また、レンズ鏡筒の変形は、撮影光学系の光軸のズレの原因等になり、光学特性を悪化させることがあった。
（２）固定筒の内部に異物等が入り込み、ギア列の動作不良の原因になったり、レンズに異物等が付着し、撮影画質を悪化させることがあった。
（３）外部光がレンズ鏡筒の内側に入射して、光学特性を悪化させることがあった。
【０００６】
ところで、特許文献１には、遮光蓋を取り付け、固定筒の開口部と駆動ギア部の一部が覆われたレンズ鏡筒が開示されている。
しかし、この遮光蓋は、ギアのメンテナンスや取り付け作業を容易に行なうことが主目的である。このため、遮光蓋の固定筒への取り付け構造は、簡単なものとされ、遮光蓋を取り付けることによっては、上述した（１），（２）の問題は、解消されない。
【特許文献１】特開２０００−３５６７３４号公報
【発明の開示】
【発明が解決しようとする課題】
【０００７】
本発明の課題は、レンズ鏡筒の固定筒の側面に開口部を有する場合に、固定筒を補強して、光軸のズレ等を防止し光学特性を維持できるとともに、異物等のレンズへの付着を防ぎ撮影画質を維持でき、さらに、円滑な回転筒の駆動が可能なカメラを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、開口部（２ａ）を有する固定筒（２）と、前記固定筒（２）の外側に配置された駆動部（４）と、前記固定筒（２）の内側に配置された被駆動部（３）と、前記開口部（２ａ）を通って、前記駆動部（４）から前記被駆動部（３）に駆動力を伝達する駆動力伝達部（５）と、前記開口部（２ａ）をまたがって、前記固定筒（２）に固定された補強部（７）と、を備えるカメラである。
請求項２の発明は、請求項１に記載のカメラにおいて、前記補強部（７）に設けられた撮影機能部材（８）を備えたこと、を特徴とするカメラである。
請求項３の発明は、請求項１又は請求項２に記載のカメラにおいて、前記補強部（７）は、前記開口部（２ａ）の一部又は全部を覆うこと、を特徴とするカメラである。
請求項４の発明は、請求項１から請求項３に記載のカメラにおいて、前記補強部（７）は、前記駆動力伝達部（５）の一部又は全部を覆うこと、を特徴とするカメラである。
請求項５の発明は、請求項１から請求項４のいずれか１項に記載のカメラにおいて、前記開口部（２ａ）は、撮影光学系の光軸に沿った方向に長い長孔部（２ａ）であること、前記駆動力伝達部（５）は、最終歯車（５ｅ）を備えること、前記被駆動部（３）は、被駆動歯車（３ａ）を備えること、前記被駆動歯車（３ａ）と前記最終歯車（５ｅ）との噛合部は、前記長孔部（２ａ）の内側を、前記駆動力により、前記光軸に沿った方向に移動すること、を特徴とするカメラである。
【発明の効果】
【０００９】
本発明によれば、以下の効果を奏することができる。
（１）開口部を有する固定筒と、固定筒の外側に配置された駆動部と、固定筒の内側に配置された被駆動部と、開口部を通って、駆動部から被駆動部に駆動力を伝達する駆動力伝達部と、開口部をまたがって、固定筒に固定された補強部とを備えているので、固定筒の強度を向上することができ、円滑に回転筒の駆動を行なうことができる。
（２）補強部は、撮影機能部材の保持部材としても用いられているので、カメラのコストや部品点数を維持でき、また、カメラを大型にせずに、固定筒の補強をすることができる。
（３）補強部は、開口部の一部又は全部を覆っているので、レンズ鏡筒の内部に異物が入ることを防止し回転筒を円滑に駆動することができ、また、レンズへの異物等の付着を防止でき、撮影画質を維持することができる。さらに、外部光が開口部から入射することを防止し、撮影光学系の特性を確保することができる。
（４）補強部は、駆動力伝達部の一部又は全部を覆っているので、駆動力伝達部に異物等が入り込むことを防ぎ、駆動力伝達部を円滑に駆動することができる。
（５）固定筒の開口部は、光軸に沿った方向に長い長孔部であり、被駆動部の被駆動歯車と駆動力伝達部の最終歯車との噛合部が、駆動部の駆動力により、長孔部の内側を、光軸に沿った方向に移動するので、最終歯車の回転運動を、被駆動部の光軸に沿った方向への直進運動へ変換でき、上記効果を維持したまま、レンズ鏡筒の繰り出しが可能なカメラを作製することができる。
【発明を実施するための最良の形態】
【００１０】
本発明は、レンズ鏡筒の固定筒の側面に開口部を有する場合に、光軸のズレ等による光学特性の悪化や、異物等のレンズへの付着による撮影画質の悪化を防止し、円滑な回転筒の駆動が可能なカメラを提供するという目的を、固定筒の外側に配置されたモータユニットの駆動力を、ギアユニットの長ギアを固定筒の開口部を通すことにより、固定筒の内側に配置された回転筒に伝達し、また、補強部を開口部をまたがって固定筒に固定し、補強部に照明光発光装置を固定することによって実現した。
【実施例】
【００１１】
以下、図面等を参照して、本発明の実施例をあげてさらに詳しく説明する。
図１は、本発明の実施例を適用したカメラの内部構造の正面図を模式的に示す図である。
図２は、図１のＷ−Ｗ部矢視断面図である。
なお、図１、図２は、カメラのレンズ鏡筒収納時（レンズ鏡筒の繰り出し量が最小）の状態を示す図である。
図３は、レンズ鏡筒の一部を模式的に示す分解斜視図である。
図４は、図１のＸ−Ｘ部矢視断面図である。
以下の説明においては、カメラの正位置撮影時を基準に上下、前後等を説明する。正位置撮影時とは、対物レンズの光軸を水平方向に向け、横長の画像を撮影するときの状態をいうものとし、また、カメラ本体の対物レンズ側の面を前面とし、その反対側を背面とする。
【００１２】
カメラは、カメラ筐体１と、固定筒２と、回転筒３と、モータユニット４と、ギアユニット５と、ギアユニット保持部６と、補強部７と、照明光発光装置８と、４つのビス９とを備えている。
カメラ筐体１は、箱状をしており前面からみると横長の矩形状をしている（図１参照）。
【００１３】
固定筒２は、図２に示すように、カメラ筐体１の前面から、後方向の内壁にわたって延在する筒状をしており、正面からみるとカメラ筐体１の中心よりも右寄り、下側に配置されている。固定筒２は、カメラ筐体１に固定されている。図３に示すように、その外周の上側には、開口部２ａと、軸受け２ｂ，２ｃと、補強部取付台２ｄと、ビス穴２ｅ，２ｆとを有し、また、内周の全面には、螺旋状の内ヘリコイド２ｇを有している。
開口部２ａは、後述する長ギア５ｅが回転筒３を回転駆動させるために必要な貫通穴であり、固定筒２にカメラ前後方向にわたって延在している。また、開口部２ａのカメラ左右方向の幅は、長ギア５ｅの径の大きさと同等とされる。
軸受け２ｂ，２ｃは、略半円の板状をしており、固定筒２の外周に、開口部２ａのカメラ前後方向の両側に、それぞれが向かい合うようにして設けられている。軸受け２ｂ，２ｃの間のスペースには、後述する長ギア５ｅが配置される。また、軸受け２ｂ，２ｃは、光軸Ｏに沿った方向に、貫通孔を有している。
補強部取付台２ｄは、カメラ上方からみると、開口部２ａの左側に、光軸Ｏに沿った方向の略中央部に配置され、その方向に長い略直方体である。その長さは、開口部２ａの略半分である（図４参照）。補強部取付台２ｄの上側の面には、ビス穴２ｅ，２ｆが設けられている。ビス穴２ｅ，２ｆは、カメラ下方に向かって設けられた有底の穴であり、カメラ前後方向に並べて配置され、これらと２本のビス９を利用して、後述する補強部７が固定筒２に固定される。また、補強部取付台２ｄの鉛直方向の高さは、ビス９のネジ部より長くされている（図１参照）。
【００１４】
回転筒３は、図２に示すように、固定筒２の内側に配置され、その光軸Ｏに沿った方向にわたって延在する筒状をしており、そのカメラ前側部には、対物レンズＬ１がその光軸Ｏをカメラ前方に向け、固定されている。また、図３に示すように、回転筒３は、後端外周に、帯状に外周ギア３ａが設けられている。外周ギア３ａには、外ヘリコイド３ｂが螺旋状に設けられており、前述した固定筒２の内ヘリコイド２ｇと螺合している。後述するように、回転筒３は、この外周ギア３ａが受ける駆動力により、光軸Ｏ回りに回転し、そのとき内ヘリコイド２ｇの働きにより、光軸Ｏに沿った方向へ移動する。これにより、沈胴式のレンズ鏡筒は、回転筒３の繰り出し量を変更し、また、光学ズーム機能をレンズ鏡筒は、対物レンズが光軸Ｏに沿った方向へ移動することにより、撮影光学系の焦点距離が変更される。
【００１５】
モータユニット４は、回転筒３を光軸Ｏに沿った方向へ、繰り出す駆動部である。図１に示すように、モータユニット４は、カメラ前面からみると、固定筒２の外側、右方に配置されている。モータユニット４の回転軸には、後述するウォームギア５ａが取り付けられている。モータユニット４は、その回転軸を鉛直方向とし、ウォームギア５ａが上方となるように配置されている。
【００１６】
図５は、図４のＹ−Ｙ部矢視断面を拡大した図である。
ギアユニット５は、モータユニット４の駆動力を、回転筒３に伝達する駆動力伝達部であり、５つの歯車から形成され、固定筒２よりも右上に配置されている。ギアユニット５は、モータユニット４の回転軸に取り付けられたウォームギア５ａから水平方向左側へ順に、段ギア５ｂ，５ｃ、アイドルギア５ｄ、長ギア５ｅと配置され、噛合っている。
ウォームギア５ａは、回転軸を鉛直方向とし、段ギア５ｂ，５ｃとアイドルギア５ｄは、その回転軸を光軸Ｏと平行とされている。
長ギア５ｅは、ギアユニット５を形成する最終歯車である。図２に示すように、長ギア５ｅは、光軸Ｏに沿った方向に長い形状をしており、固定筒２の外周に配置される。長ギア５ｅは、その光軸Ｏに沿った方向の中心に、貫通孔を有しており、軸５ｆが挿入されている。長ギア５ｅは、この軸５ｆが、固定筒２の軸受け２ｂ，２ｃに設けられた貫通孔に挿入されることにより、固定筒２に回転可能に支持されている。長ギア５ｅは、その下側の一部が固定筒２の開口部２ａを通って、回転筒３の外周ギア３ａとの噛合部を有している。
【００１７】
ギアユニット保持部６は、左右方向が開放した筒状をしており、固定筒２の外側、右上部に固定されている。図４に示すように、ギアユニット保持部６には、ギアユニット５の段ギア５ｂ，５ｃ、アイドルギア５ｄとが回転可能に支持されている。また、ギアユニット保持部６には、ウォームギア５ａが収容され、カメラ下方の外側の面には、モータユニット４の筐体が固定されている（図５参照）。ギアユニット保持部６は、その天面部の右側の、カメラ後方部にビス穴６ａを有している。ギアユニット保持部６は、そのカメラ上方向の面に、左右に延在する開口部を有しており、ここからウォームギア５ａ、段ギア５ｂ，５ｃ、アイドルギア５ｄの組み込みを行なったり、各ギアの噛合や動作の確認をすることができる。
【００１８】
補強部７は、長ギアカバー部７ａと、ギアユニットカバー部７ｂと、固定部７ｃとを有している。
図３に示すように、長ギアカバー部７ａは、長ギア５ｅ及び開口部２ａをカメラ上方から覆うための半円筒状の細長いカバーである。右側面の下側には、長ギア５ｅとアイドルギア５ｄが噛合うための切り欠き７ｄを有している（図４参照）。
ギアユニットカバー部７ｂは、ギアユニット保持部６の上部の開口部を上方から覆うため左右方向に長い矩形の平板状しており、長ギアカバー部７ａの上部に設けられている。ギアユニットカバー部７ｂは、その右側のカメラ背面方向の隅に貫通孔が設けられ、これにビス９が挿入され、ギアユニット保持部６にビス穴６ａを用いて固定される。また、左側のカメラ前面方向の隅にビス穴７ｅを有している。ビス穴７ｅは、後述する照明光発光装置８を固定するために用いられる。
固定部７ｃは、固定筒２の補強部取付台２ｄにカメラ上方から取り付けられ、この上側の面の大きさと同等の板状をしている。図５に示すように、固定部７ｃは、長ギアカバー部７ａから水平に、カメラ左方向に突き出すように設けられている。固定部７ｃは、２つの貫通穴を有しており、これにビス９が挿入され、固定筒２にビス穴２ｅ，２ｆを用いて固定される。
【００１９】
図６は、図１のＺ−Ｚ部矢視断面図である。
照明光発光装置８は、被写体に当てる例えば閃光発光装置である。照明光発光装置８は、略直方体をしており、カメラ上側からみると、ギアユニットカバー部７ｂよりも一回り小さな左右に長い矩形状をしており、これの上面に、カメラ前側に配置されている。また図５に示すように、カメラ前面からみると、補強部７のギアユニットカバー部７ｂの上面からカメラ筐体１の上側の内壁との間に延在する矩形状をしている。
【００２０】
照明光発光装置８は、瞬間閃光光源８ａと、リフレクタ８ｂと、保護カバー８ｃと、ハウジング８ｄとを備えている。
瞬間閃光光源８ａは、例えばキセノン管が用いられている。瞬間閃光光源８ａは、カメラ前面からみると、照明光発光装置８の中心に位置しており、その形状は、照明光発光装置８の左右にわたって延在する長い棒状である。
リフレクタ８ｂは、瞬間閃光光源８ａの閃光を、前面へ反射させる反射板であり前面が開放している。リフレクタ８ｂの縦断面形状は、カメラ前後方向に長い半楕円形状をしており、そのカメラ背面方向の内側に瞬間閃光光源８ａが配置されている（図２参照）。左右の側面は、カメラ背面方向にいくほど、間隔が狭くなるように傾斜がつけられており、瞬間閃光光源８ａを通す貫通孔をそれぞれ有している。リフレクタ８ｂは、カメラ前面からみると、照明光発光装置８の外形より一回り小さい矩形状をしており、照明光発光装置８の略中央に配置されている。
保護カバー８ｃは、瞬間閃光光源８ａとリフレクタ８ｂとを保護するための透明なカバーであり、照明光発光装置８の前面をほぼ覆っている。
【００２１】
ハウジング８ｄは、照明光発光装置８を形成する筐体部分であり、瞬間閃光光源８ａとリフレクタ８ｂと保護カバー８ｃを収容している。また、ハウジング８ｄは、底面のカメラ前寄りの左側から貫通孔を有するつばが水平方向左側へ突き出しており、この貫通孔にビス９が挿入され、補強部７のビス穴７ｅに結合されている。これにより、照明光発光装置８は、補強部７に固定されている。
【００２２】
これまで、説明したカメラのレンズ鏡筒の繰り出しの動作について説明する。モータユニット４の駆動力によりウォームギア５ａがモータユニット４の軸回りに回転すると、段ギア５ｂ，５ｃが光軸Ｏと平行な軸回りにそれぞれ回転する（図５参照）。また、ここで、モータユニット４の回転は、段ギア５ｂ，５ｃにより減速される。段ギア５ｃから、アイドルギア５ｄ、長ギア５ｅへと駆動力が伝わり、長ギア５ｅは、光軸Ｏと平行な軸回りに回転する。長ギア５ｅと、被駆動部である回転筒３の被駆動歯車である外周ギア３ａとは、噛合っているので、回転筒３は、光軸Ｏを中心に回転する。回転筒３の外ヘリコイド３ｂと固定筒２の内ヘリコイド２ｇとは、螺合しているので、回転筒３は、光軸Ｏを中心に回転しながら、光軸Ｏに沿った方向へ、カメラ前方へ向かって移動する（図３参照）。これに伴い、長ギア５ｅと外周ギア３ａの噛合部は、固定筒２の開口部２ａの内側をカメラ前方へ向かって移動する。
【００２３】
図７は、カメラのレンズ鏡筒を繰り出したとき（レンズ鏡筒の繰り出し量が最大）の図１のＷ−Ｗ部矢視断面図である。
回転筒３と、これに設けられている対物レンズＬ１と外周ギア３ａは、収納時（図２参照）よりもカメラ前方に移動している。また、長ギア５ｅと外周ギア３ａとの噛合部も、光軸Ｏに沿った方向に、カメラ前方に移動している。この移動範囲を満足するため、長ギア５ｅは、光軸Ｏに沿った方向に長く製作され、また、開口部２ａは、この方向に長い長孔部とされている。
【００２４】
以上のように本実施例においては、カメラのレンズ鏡筒の固定筒２は、開口部２ａを有している。しかし、補強部７は、開口部２ａをまたいで固定筒２に固定され、また、固定筒２に固定されたギアユニット保持部６にも固定されているので、固定筒２は、開口部２ａを有していても、強度を確保し、その変形を防止することができる。これにより、固定筒２とヘリコイド結合した回転筒３は、モータユニットにより円滑に駆動されるとともに、撮影光学系の光軸Ｏのズレ等を防止し、撮影光学系の光学特性を確保することができる。
【００２５】
また、補強部７は、開口部２ａを覆っているので、固定筒２の内部に異物等が入ることを防止することができる。このため、異物等が固定筒２と回転筒３とのヘリコイド結合部や、レンズに付着することを防止でき、回転筒２の光軸Ｏ回りの回転と、光軸Ｏに沿った方向への移動が、円滑に行なわれるとともに、撮影画質を維持することができる。さらに、補強部７は、外部光が開口部２ａからレンズ鏡筒の内側へ入射することを防ぎ、撮影光学系の光学特性を確保することができる。
【００２６】
さらにまた、補強部７は、ギアユニット保持部６に固定され、また、ギアユニット保持部６の開口部と長ギア５ｅを覆っている。このため、ギアユニット保持部６は、その強度が確保され、また、各ギアへの異物等の付着を防止できるので、ギアユニット５は、その動作を円滑に行うことができる。
【００２７】
加えて、補強部７には、撮影機能部材である照明光発光装置８が取り付けられている。このように、補強部７は、撮影機能部材の保持部材としても用いられているので、カメラの部品点数を維持し、コストを維持することができる。また、補強部７は、カメラ筐体１の内部に、大きな取り付けスペースを必要としないので、カメラをコンパクトに保つことができる。
【００２８】
（変形例）
以上説明した実施例に限定されることなく、種々の変形や変更が可能であって、それらも本発明の均等の範囲内である。
（１）本実施例において、補強部７に、照明光発光装置８が取り付けられている例を示したが、これに限らず、他の撮影機能部材でもよい。例えば、測距装置、オートフォーカスや瞳孔の画像が赤色になるのを防止するいわゆる赤目防止用の補助光、ファインダユニット等でもよい。
（２）本実施例において、ギアユニット５の長ギア５ｅの一部を、固定筒２の開口部２ａを通して、回転筒３に駆動力を伝達する例を示したが、これに限定されない。例えば、フレキシブルプリント基板等を、固定筒の開口部を通して、固定筒の内側に配置されたプリント基板やモータユニット等の電気部品と接続してもよい。
【図面の簡単な説明】
【００２９】
【図１】本発明の実施例を適用したカメラの内部構造の正面図である。
【図２】図１のＷ−Ｗ部矢視断面図である。
【図３】レンズ鏡筒の一部を模式的に示す分解斜視図である。
【図４】図１のＸ−Ｘ部矢視断面図である。
【図５】図４のＹ−Ｙ部矢視断面図である。
【図６】図１のＺ−Ｚ部矢視断面図である。
【図７】レンズ鏡筒繰り出し時の図１のＷ−Ｗ部矢視断面図である。
【符号の説明】
【００３０】
１    カメラ筐体
２    固定筒
２ａ    開口部
２ｂ，２ｃ    軸受け
２ｄ    補強部取付台
２ｅ，２ｆ    ビス穴
２ｇ    内ヘリコイド
３    回転筒
３ａ    外周ギア
３ｂ    外ヘリコイド
４    モータユニット
５    ギアユニット
５ａ    ウォームギア
５ｂ，５ｃ    段ギア
５ｄ    アイドルギア
５ｅ    長ギア
５ｆ    軸
６    ギアユニット保持部
６ａ    ビス穴
７    補強部
７ａ    長ギアカバー部
７ｂ    ギアユニットカバー部
７ｃ    固定部
７ｄ    切り欠き
７ｅ    ビス穴
８    照明光発光装置
８ａ    瞬間閃光光源
８ｂ    リフレクタ
８ｃ    保護カバー
８ｄ    ハウジング
９    ビス
Ｌ１    対物レンズ
Ｏ    光軸
【図１】
2006119250.tif 000003
【図２】
2006119250.tif 000004
【図３】
2006119250.tif 000005
【図４】
2006119250.tif 000006
【図５】
2006119250.tif 000007
【図６】
2006119250.tif 000008
【図７】
2006119250.tif 000009